(57)【要約】【課題】ラックにユニットケースを増設する際に、増設用の空きスペースにラックに設けた取り付け穴の配置関係に制限されること無く、ユニバーサルで増設対応可能なユニットケースの構造を提供することを目的とする。【解決手段】ユニットケース本体１７の両側面には、取り付け金具を固定する固定穴１８が、ＥＩＡ規格のユニバーサルタイプのラックに設けたユニットケースの取り付け穴と同一配列で、１５．９ｍｍ−１５．９ｍｍ−１２．７ｍｍの間隔で設けてある。取り付け金具１９ａの側面には、ユニットケース本体の側面に取り付け金具を固定するための固定穴２０が、ユニットケース本体の両側面に設けた取り付け金具固定用の固定穴と同一配列で、１５．９ｍｍ−１５．９ｍｍ−１２．７ｍｍの間隔で設けてある。【選択図】        図１
2004172450.tif 000002
【特許請求の範囲】
【請求項１】
ラックに設けた第一の取り付け穴の位置に、ユニットケースの両側面に固定した取り付け金具に設けた第二の取り付け穴の位置を一致させ、ネジを用いて取り付けるユニットケースの構造において、
前記ユニットケースの両側面には、ラックに設けた第一の取り付け穴と同一配列の取り付け金具固定用の第一の固定穴を配置すると共に、前記取り付け金具には、前記取り付け金具固定用の第一の固定穴と同一配列の第二の固定穴を設けており、
ラックのユニットケースの取り付けスペースに合わせて、前記第一の取り付け穴の位置と前記第二の取り付け穴の位置を一致させるため、ユニットケースの両側面に固定した取り付け金具をスライド可能としたことを特徴とするユニットケースの構造。
【請求項２】
前記ラックが、ＥＩＡ規格のユニバーサルタイプであることを特徴とする請求項１記載のユニットケースの構造。
【請求項３】
前記ラックが、ＥＩＡ規格のワイドタイプであることを特徴とする請求項１記載のユニットケースの構造。
【発明の詳細な説明】
【０００１】
【発明の属する技術分野】
本発明はユニットケースの構造に関し、特に通信機器等を収容する標準ラックが既設であって、該既設のラックにユニットケースを増設する際等に、標準ラックの増設用空きスペースの取り付け位置にかわらず容易に取り付け可能とするユニットケースの構造に関する。
【０００２】
【従来の技術】
通信機器等を収容するラック、ユニットケース、或いはシャーシ等の形状に関する規格の主だったものとして、国内向けのＪＩＳ規格、或いは米国のＥＩＡ規格が知られている。
従来、ラックにユニットケースを収納する際は、ユニットケースの左右両側面に固定している取り付け金具に設けた取り付け穴を、ラック正面の両脇に位置する取り付け穴に位置合わせし、ネジを用いて取り付けている。
ラックには予め正面の両脇に、ユニットケース等を取り付けるための標準的な取り付け穴が設けられており、前述のＪＩＳ規格であれば、５０ｍｍ間隔で取り付け穴が配置され、一方、ＥＩＡ規格であれば、ユニバーサルタイプとして、１５．９ｍｍ−１５．９ｍｍ−１２．７ｍｍの間隔で設けた取り付け穴のブロックを繰り返し配置し、ワイドタイプとして、３１．８ｍｍ−１２．７ｍｍの間隔で設けた取り付け穴のブロックを繰り返し配置している。
【０００３】
図７は、ＪＩＳ規格に基づいたラックの正面図を示す。図７に示す如く、ラック１には、ラック正面の両脇にユニットケースやパネル等を取り付けるための取り付け穴２が５０ｍｍ間隔で配置されている。
【０００４】
図８は、ＥＩＡ規格のユニバーサルタイプに基づいたラックの正面図を示す。図８に示す如く、ラック３には、ラック正面の両脇にユニットケースやパネル等を取り付けるための取り付け穴４が１５．９ｍｍ−１５．９ｍｍ−１２．７ｍｍの間隔で配置されている。
【０００５】
図９は、ＥＩＡ規格のワイドタイプに基づいたラックの正面図を示す。図９に示す如く、ラック５には、ラック正面の両脇にユニットケースやパネル等を取り付けるための取り付け穴６が３１．８ｍｍ−１２．７ｍｍの間隔で配置されている。
【０００６】
次に、上記のラックに取り付けるユニットケースの正面図を示す。
図１０は、ＪＩＳ規格に基づいたラックに取り付けるユニットケースの正面図の一例である。図１０に示す如く、ユニットケース７の両側面には取り付け金具８ａ、８ｂが固定されており、取り付け金具８ａ、８ｂには、ラックに設けた取り付け穴の配置と同様に、５０ｍｍ間隔の取り付け穴９が設けられている。
【０００７】
図１１は、ＥＩＡ規格のユニバーサルタイプ及びワイドタイプに基づいたラックに取り付けるユニットケースの正面図の一例である。図１１に示す如く、ユニットケース１０の両側面には取り付け金具１１ａ、１１ｂが固定されており、取り付け金具１１ａ、１１ｂには、ＥＩＡ規格のユニバーサルタイプのラック３及びワイドタイプのラック５の取り付け穴の配置に一致する用に、所定の間隔で取り付け穴１２が設けられている。
【０００８】
【発明が解決しようとする課題】
ラックにユニットケースを取り付ける方法として、ラックの製造とユニットケースの製造を同時に行い、予め設定されているラックへの取り付け位置にユニットケースを取り付ける場合と、ラックは既に製造されていて顧客にて運用中であり、ラックの空いたスペースに後からユニットケースを増設して取り付ける場合とがある。
【０００９】
後からユニットケースをラックの空いたスペースに増設して取り付ける場合は、ＪＩＳ規格のラックのように取り付け穴が５０ｍｍの等間隔で設けられていると、ユニットケースに固定した取り付け金具に設けた取り付け穴と、ラックに設けた取り付け穴とを自由に任意の位置にずらせてユニットケースを取り付け可能であるが、ＥＩＡ規格のラックのように取り付け穴の間隔が等間隔でない場合、ラックに設けた取り付け穴とユニットケースに固定した取り付け金具に設けた取り付け穴との位置が一致するのは特定の位置のみであり、ユニットケースをラックに取り付ける際の自由度が制限される。
【００１０】
図１２は、ＥＩＡ規格のユニバーサルタイプのラックに既設のパネルが取り付けられている外観図を示す。そこで、このラックに増設用のユニットケースを取り付ける場合は、ラック１３には、既設のパネル１４及び１５が取り付けられているので、ラック１３の空きスペース１６に増設用のユニットケースを取り付ける必要がある。
【００１１】
図１３は、図１２において丸印で囲った増設用の空きスペースにユニットケースを取り付ける際の様子を示す。図１３は、ラック１３に既にパネル１４及び１５が取り付けられており、その空きスペースにユニットケース１０を取り付ける場合を示す。本例の場合は、増設スペース内にユニットケースを配置すると、増設スペースに設けられたラック１３の取り付け穴４と、ユニットケース１０に固定した取り付け金具１１に設けた取り付け穴１２との配置が一致しておらず、ラック１３に設けた取り付け穴とユニットケース１０に固定した取り付け金具に設けた取り付け穴１２との配置を一致させるためには、パネル１４が障害となり、取り付け不能となる状態を示す。
【００１２】
この原因は、ＥＩＡ規格のラックは、ラック５に設けた取り付け穴が、ユニバーサルタイプであれば、１５．９ｍｍ−１５．９ｍｍ−１２．７ｍｍの間隔で設けた取り付け穴のブロックを繰り返し配置したものであり、取り付け穴の間隔が均等でないため、取り付け穴の位置が一つづれるだけでユニットケースに固定した取り付け金具に設けた取り付け穴と配置が一致しなくなるためである。
【００１３】
そこで、このような事態を防ぐためには、予め、ユニットケースを増設するラックの空きスペースの位置や取り付け穴の配置、既に取り付けられているユニットケース、或いはパネル等の位置関係を把握しておき、それに見合ったユニットケースの取り付け金具を用意する必要がある。
【００１４】
しかしながら、予め、ユニットケースを増設するラックの空きスペースの詳細な情報が提供されることは困難な場合が多く、自ら調査に出向く等手間の掛かる作業が必要であった。
そこで、本発明は上述したような問題を解決するためになされたものであって、ラックにユニットケースを増設する際に、増設用の空きスペースのラックに設けた取り付け穴の配置関係に制限されること無く、ユニバーサルで増設対応可能なユニットケースの構造を提供することを目的とする。
【００１５】
【課題を解決するための手段】
上記目的を達成するために本発明に係わるユニットケースの構造は、以下の構成をとる。
請求項１記載のユニットケースの構造は、ラックに設けた第一の取り付け穴の位置に、ユニットケースの両側面に固定した取り付け金具に設けた第二の取り付け穴の位置を一致させ、ネジを用いて取り付けるユニットケースの構造において、  前記ユニットケースの両側面には、ラックに設けた第一の取り付け穴と同一配列の取り付け金具固定用の第一の固定穴を配置すると共に、前記取り付け金具には、前記取り付け金具固定用の第一の固定穴と同一配列の第二の固定穴を設けており、  ラックのユニットケースの取り付けスペースに合わせて、前記第一の取り付け穴の位置と前記第二の取り付け穴の位置を一致させるため、ユニットケースの両側面に固定した取り付け金具をスライド可能とするよう構成する。
【００１６】
請求項２記載のユニットケースの構造は、前記ラックが、ＥＩＡ規格のユニバーサルタイプであるよう構成する。
【００１７】
請求項３記載のユニットケースの構造は、前記ラックが、ＥＩＡ規格のワイドタイプであるよう構成する。
【００１８】
【発明の実施の形態】
以下、図示した実施例に基づいて本発明を詳細に説明する。
本発明は、ユニットケースを既設のラックに増設して取り付ける際に、ラックに設けた取り付け穴の配列が不規則であっても、ラックの増設用空きスペースに設けた取り付け穴の位置に、ユニットケースに固定した取り付け金具に設けた取り付け穴が容易に一致させることが出来るよう、取り付け金具の固定位置を任意に移動させることが出来るようにした。そこで、ユニットケース本体の両側面に、ラックに設けた取り付け穴と同一配列の所定数の取り付け金具の固定穴を設けたので、ラックの増設用の空きスペースに設けられている取り付け穴の配列と、ユニットケースに固定した取り付け金具に設けた取り付け穴の配列が一致するよう、ユニットケースに固定する取り付け金具の位置を調整して固定することにより、最小の空きスペースにユニットケースを増設可能とした。
【００１９】
図１は、本発明に係るユニットケース本体の一実施例を示す外観図であり、図１（ａ）は、正面図を示し、図１（ｂ）は、右側面図を示す。本実施例は、ＥＩＡ規格のユニバーサルタイプのラックに取り付けるユニットケース本体１７を示し、図１（ｂ）に示すように、ユニットケース本体１７の両側面には、取り付け金具を固定する固定穴１８が、ＥＩＡ規格のユニバーサルタイプのラックに設けたユニットケースの取り付け穴と同一配列で、１５．９ｍｍ−１５．９ｍｍ−１２．７ｍｍの間隔で設けてある。尚、本実施例においては、固定穴１８を２列配列した場合を示したが、ユニットケースの重量が重い場合等、取り付け強度を強化するため３列以上の固定穴を配置してもよく、或いは、ユニットケースが軽量のため固定穴を１列配置してもよい。
【００２０】
図２は、本発明に係わるユニットケース固定用の取り付け金具の一実施例を示す外観図であり、図２（ａ）は、左取り付け金具の正面図を示し、図２（ｂ）は、右取り付け金具の正面図を示し、図２（ｃ）は、右取り付け金具の側面図を示す。本実施例は、ＥＩＡ規格のユニバーサルタイプのラックに取り付ける取り付け金具を示し、図２（ｃ）に示す如く、取り付け金具１９ａの側面には、ユニットケース本体の側面に取り付け金具を固定するための固定穴２０が、ユニットケース本体の両側面に設けた取り付け金具固定用の固定穴と同一配列で、１５．９ｍｍ−１５．９ｍｍ−１２．７ｍｍの間隔で設けてある。又、取り付け金具１９ａ、或いは１９ｂに設けたユニットケースをラックに取り付ける穴２１の位置は、図２（ｂ）において示した１〜１４（図中では丸番表記）の線上に位置すれば、任意の位置を選択可能である。尚、固定穴２０の配列は、図１においても説明したように、３列以上の配列、或いは１列の配列でもよい。
【００２１】
図３は、本発明に係わるユニットケースの一実施例を示す外観図であり、図３（ａ）は、正面図を示し、（ｂ）は、右側面図を示す。本実施例は、ＥＩＡ規格のユニバーサルタイプのラックに取り付けるユニットケースを示し、図３（ａ）に示す如く、ユニットケース２２には、右側面に取り付け金具１９ａが、左側面に取り付け金具１９ｂが夫々ネジ２３を用いて取り付けられており、図３（ｂ）に示す如く、取り付け金具１９ａ、及び１９ｂの取り付け位置は、図３（ｂ）の図中、上方、或いは下方に２ピッチ分調整可能である。本実施例におけるＥＩＡ規格のユニバーサルタイプのラックでは、ユニットケースの取り付け穴が、１５．９ｍｍ−１５．９ｍｍ−１２．７ｍｍの間隔で設けられており、最大２ピッチ調整可能とすれば全ての条件でユニットケースを取り付け可能となる。従って、取り付け金具の固定位置を調整することにより、既設のラックの増設用スペースに増設用ユニットケースを容易に取り付け可能である。
【００２２】
次に、ユニットケースを、既設のラックの増設用空きスペースに取り付けた例を示す。
図４は、本発明に係わるユニットケースを既設のラックの増設用空きスペースに取り付けた際の第一の実施例を示し、図４（ａ）は正面図を示し、図４（ｂ）は右側面図を示す。図４は、既設のラック１３に、既設のパネル１４、及び１５が取り付けられており、増設用スペース１６にユニットケース２２を取り付けた際に、既設のラック１３の増設用空きスペースに設けられている取り付け穴４の配列と、ユニットケース本体１７の両側面に設けた取り付け金具１９を取り付ける固定穴１８との配列が一致している実施例を示す。従って、取り付け金具１９ａは、図４（ｂ）図中のユニットケース本体１７の側面の中央部に位置し、ネジ２３を用いて固定されており、ユニットケース２２は、ネジ２４を用いて既設のラック１３に取り付けている。
【００２３】
図５は、本発明に係わるユニットケースを既設のラックの増設用空きスペースに取り付けた際の第二の実施例を示し、図５（ａ）は正面図を示し、図５（ｂ）は右側面図を示す。図５は、既設のラック１３に、既設のパネル１４、及び１５が取り付けられており、増設用スペース１６にユニットケース２２を取り付けた際に、既設のラック１３の増設用空きスペースに設けられているユニットケース取り付け穴４の配列と、ユニットケース本体１７の両側面に設けた取り付け金具１９を取り付ける固定穴１８との配列が、図４（ｂ）図中の取り付け金具の位置より１ピッチ下方にずれている実施例を示す。従って、取り付け金具１９は、ユニットケース本体１７の側面の中央の位置より１ピッチ下方に位置にネジ２３を用いて固定されており、ユニットケース２２は、ネジ２４を用いて既設のラック１３に取り付けている。
【００２４】
図６は、本発明に係わるユニットケースを既設のラックの増設用空きスペースに取り付けた際の第三の実施例を示し、図６（ａ）は正面図を示し、図６（ｂ）は右側面図を示す。図６は、既設のラック１３に、既設のパネル１４、及び１５が取り付けられており、増設用スペース１６にユニットケース２２を取り付けた際に、既設のラック１３の増設用空きスペースに設けられているユニットケース取り付け穴４の配列と、ユニットケース本体１７の両側面に設けた取り付け金具１９を取り付ける固定穴１８との配列が、図４（ｂ）図中の取り付け金具の位置より２ピッチ下方にずれている実施例を示す。従って、取り付け金具１９は、ユニットケース本体１７の側面の中央の位置より２ピッチ下方の位置にネジ２３を用いて固定されており、ユニットケース２２は、ネジ２４を用いて既設のラック１３に取り付けている。
以上、本発明をＥＩＡ規格のユニバーサルタイプについて説明したが、本発明はこれに限られるものではなく、ＥＩＡ規格のワイドタイプ、或いは、取り付け穴の間隔が均等でない他の規格のラックについても適応可能である。
【００２５】
【発明の効果】
上述したように請求項１乃至３の発明は、ラックの増設用空きスペースに設けた取り付け穴の位置に、ユニットケースに固定した取り付け金具に設けた取り付け穴が容易に一致させることが出来るよう、取り付け金具の固定位置を任意に移動させることが出来るようにしたため、ユニットケースに固定する取り付け金具の位置を調整して固定することにより、最小の空きスペースにユニットケースを増設可能となり、ユニットケースをラックに固定する上で大きな効果を発揮する。
【図面の簡単な説明】
【図１】本発明に係るユニットケース本体の一実施例を示す外観図である。
【図２】本発明に係わるユニットケース固定用の取り付け金具の一実施例を示す外観図である。
【図３】本発明に係わるユニットケースの一実施例を示す外観図である。
【図４】本発明に係わるユニットケースを既設のラックの増設用空きスペースに取り付けた際の第一の実施例を示す。
【図５】本発明に係わるユニットケースを既設のラックの増設用空きスペースに取り付けた際の第二の実施例を示す。
【図６】本発明に係わるユニットケースを既設のラックの増設用空きスペースに取り付けた際の第三の実施例を示す。
【図７】ＪＩＳ規格に基づいたラックの正面図を示す。
【図８】ＥＩＡ規格のユニバーサルタイプに基づいたラックの正面図を示す。
【図９】ＥＩＡ規格のワイドタイプに基づいたラックの正面図を示す。
【図１０】ＪＩＳ規格に基づいたラックに取り付けるユニットケースの正面図の一例である。
【図１１】ＥＩＡ規格のユニバーサルタイプ及びワイドタイプに基づいたラックに取り付けるユニットケースの正面図の一例である。
【図１２】ＥＩＡ規格のユニバーサルタイプのラックに既設のパネルが取り付けられている外観図を示す。
【図１３】図１２において丸印で囲った増設用の空きスペースにユニットケースを取り付ける際の様子を示す。
【符号の説明】
１・・ラック、                    ２・・取り付け穴、
３・・ラック、                    ４・・取り付け穴、
５・・ラック、                    ６・・取り付け穴、
７・・ユニットケース、            ８ａ、８ｂ・・取り付け金具、
９・・取り付け穴、              １０・・ユニットケース、
１１ａ、１１ｂ・・取り付け金具、  １２・・取り付け穴、
１３・・ラック、                  １４・・パネル、
１５・・パネル、                  １６・・空きスペース、
１７・・ユニットケース、          １８・・固定穴、
１９ａ、１９ｂ・・取り付け金具、  ２０・・固定穴、
２１・・取り付け穴、              ２２・・ユニットケース、
２３・・ネジ、                    ２４・・ネジ
【図１】
2004172450.tif 000003
【図２】
2004172450.tif 000004
【図３】
2004172450.tif 000005
【図４】
2004172450.tif 000006
【図５】
2004172450.tif 000007
【図６】
2004172450.tif 000008
【図７】
2004172450.tif 000009
【図８】
2004172450.tif 000010
【図９】
2004172450.tif 000011
【図１０】
2004172450.tif 000012
【図１１】
2004172450.tif 000013
【図１２】
2004172450.tif 000014
【図１３】
2004172450.tif 000015